(57)【要約】      （修正有）【課題】  限られた水域の、どんな大型プラントの接触酸化浄化システムでも、浄化媒体である不織布等の接触ろ材が劣化し、半永久的に機能するものではなく、パイプ・施設の器具の洗浄などの運転管理が問題である。簡単に浄化媒体の交換をして浄化機能強化の運転管理をするロータリー延縄水質浄化システムを提供する。【解決手段】  引縄、回転ドラム、延縄セットと浄化媒体ＰＭ・浮体ＦＦを装備し、広範な水域に延縄にセットした浄化媒体・浮体を、回転ドラムにより、流動して水質浄化をするとともに、引縄をロータリーさせて運転管理する。水質の浄化機能強化は、浄化媒体・浮体の交換を、劣化する前に、速やかに繰り返すことにより図るものである。【選択図】図１
2006021183.tif 000002
【特許請求の範囲】
【請求項１】
湖沼の中央部で、引綱Ｒに連結した延縄セットＲＳはフックＬにより浄化媒体ＰＭと浮体ＦＦをセッテングして、ガイド支柱Ｇの外周に施設し、水質浄化を図ることを特徴とするロータリー延縄水質浄化システム。
【請求項２】
湖沼の中央部へ、引綱Ｒを回転ドラムＤの巻き付け動力で引き回し、連結した延縄セットＲＳをロータリーＲＲして、浄化媒体ＰＭと浮体ＦＦを速やかに交換することにより、水質浄化を図るロータリー延縄水質浄化システムの施設方法。
【発明の詳細な説明】
【発明が属する技術分野】
【０００１】  本発明は、ロータリー延縄水質浄化システムおよび施設方法に関する。
【背景技術】
【０００２】  従来の様々な水質浄化システムは、水域の限られた場所、特定の範囲おいてプラントを固定して浄化をしている。限定された場所の水質浄化は、汚物によるシステムの不織布等の硬化、汚水によるパイプの詰まりと破損および器具の機械的破壊等の機能低下を著しく速めるとともに、悪臭の対策、汚泥の事後処理のために、システムの維持管理に大きな負担がかかり費用対効果の社会的責任で、多くの水質浄化システムは、当初の設計通り機能していない実態であり、運転を停止している。礫間接触酸化浄化システム、分離方式固定床接触酸化浄化システム等のいかなる水質浄化システムも、浄化媒体である接触ろ材が劣化して半永久的に機能するものではなく、常に人為的にシステムの運転管理が必要である。また、ばっ気等による浄化方法は、空気を物理的に投入して、無機分解をするものであり、機械的なシステムで自然との共生をしていない。
【発明が解決しようとする課題】
【０００３】  水域の限定された場所における従来のどんな大型プラントの接触酸化浄化システムでも、浄化媒体である不織布等の接触ろ材が劣化し、半永久的に機能するものではなく、パイプ・施設の器具の洗浄などの運転管理が問題である。従来の大型の浄化システムは、建設費も高額で維持管理費も多額であリ、費用対効果が課題となっている。また、ばっ気等の浄化システムは、副次的に悪臭を発生させている。
【０００４】  本発明は、不特定の広範な範囲の水域の水質浄化において、柔軟なロータリー延縄水質浄化システムを運用し、簡単に浄化媒体の交換をして浄化機能強化の運転管理をするとともに、自然と共生をし、建設費も低額で維持管理費も少額であることを目的とする。
【０００５】  本発明は、運転管理、自然との共生、費用対効果を視点におくものである。
【課題を解決するための手段】
【０００６】  本発明は、引縄、回転ドラム、延縄セットと浄化媒体・浮体を装備し、不特定の広範な範囲の水域に、延縄にセットした浄化媒体・浮体を、回転ドラムにより、流動して水質浄化をするとともに、引縄をロータリーさせて交換する。水質の浄化機能強化は、浄化媒体・浮体の交換を、劣化する前に、速やかに繰り返すことにより図るものである。
【０００７】  本発明の浄化媒体の媒質は、籾殻を炭化した燻炭、林地残材の炭化チップおよひ椰子殻炭等のバイオマス材を活用して、自然との共生とコストダウンを図るとともに、浮体により水草等を活用する。
【発明を実施するための最良の形態】
【０００８】  本発明を、千葉県の印旛沼の水質浄化を想定して説明する。印旛沼は、霞ヶ浦や琵琶湖から比べれば遥かに小さい湖沼であるが、１１．５Ｋｍ２の広さと１．７ｍの水位があり、その水質浄化は並大抵のプロセスでは不可能である。特に、湖沼の中央部の浄化システムの施設は、実施例が稀である。【０００９】  本発明の実施の形態について図面を参照して説明する。１図に示すとおり、湖沼の中央部へ引綱Ｒに連結した延縄セットＲＳをガイド支柱Ｇの外周に施設し、アンカーＡにより流失を防止する。施設方法は、引綱Ｒを回転ドラムＤの巻き付け動力で引き回し、連結した延縄セットＲＳをロータリーＲＲする。【００１０】  ２図に示すとおり、延縄セットＲＳは、フックＬにより浄化媒体ＰＭと浮体ＦＦをセッテングし、フロートＦは適宜取り付ける。【００１１】  ３図に示すとおり、本発明を河川に施設する場合は、河川の流れＣに順応して障害とならないようにする。【００１２】  本発明の水質浄化は、麻袋等の浄化媒体ＰＭに内包した炭によるものであり、炭の浄化機能は周知の事実で自然との共生をし、低コストである。【００１３】  本発明の水質浄化は、竹材に薦や葦を巻き付けた浮体ＦＦの植生した水草によるものであり、水草の浄化機能は周知の事実で自然との共生をし、低コストである。【００１４】  本発明は、回転ドラムＤの巻き付け動力で、引綱Ｒを引き回し、連結した延縄セットＲＳにセッテングした浄化媒体ＰＭと浮体ＦＦをロータリーＲＲして、速やかに交換し、水質浄化の機能強化を図るものであり、この浄化機能強化は、浄化媒質である炭と水草の交換効率によるもので、劣化する前に速やかな交換で浄化機能低減を防止する。炭の吸着力の低下、水草の腐敗は、浄化媒質としての浄化機能低減であり、その機能低減を未然に防ぐ施設システムである。【００１５】  本発明は、浄化媒体ＰＭおよび浮体ＦＦの交換は、回転ドラムＤのステージである陸上または船上で行い運転管理を容易にする。
【発明の効果】
【００１６】  本発明は、次の効果を提供する。
【００１７】  本発明は、引綱Ｒを引き回し、連結した延縄セットＲＳにセッテングした浄化媒体ＰＭと浮体ＦＦをロータリーＲＲして、速やかに交換する。この交換効率により、浄化媒質である炭の吸着力の低下、水草の腐敗を未然に防ぐ利点がある。浄化媒質の機能を一定に維持することにより浄化を推進する。
【００１８】  本発明は、特定の水域にプラントとして建設する物ではなく、印旛沼等の湖沼の中央部に張り出して施設が可能であり、水質の汚れに応じ任意に設定ができる利点がある。引綱Ｒと延縄セットＲＳは、柔軟で利便性がある。
【００１９】  本発明は、機械的にプラントとして建設するものではなく、引綱Ｒ、延縄セットＲＳ、浄化媒体ＰＭ、浮体ＦＦ等の器具の構成によるものであり、機械的なプラントのトラブルは発生しない利点がある。システムとして運転管理が容易になる。
【産業上の利用可能性】
【００２０】  本発明は、ロータリー延縄水質浄化システムおよび施設方法であり、従来の大型プラントの浄化システムに比べ構造が簡単で、施設方法および運転管理がたやすく適用できる。【００２１】  本発明は、浄化媒体ＰＭの選択により自然との共生をし、副次的な悪臭を発生させないものであり、地域社会にも適用する。従来の水質浄化で悪臭を根本的に改善する。【００２２】  本発明は、引綱Ｒ、延縄セットＲＳ、回転ドラムＤが、主な器具であり、システムの建設費も低額で維持管理費も少額であり、費用対効果の社会的責任を果たすものである。
【図面の簡単な説明】
【００２３】
【図１】湖沼の中央部に張り出した実施例の平面図である。
【図２】実施例の立体図である。
【図３】河川の実施例の平面図である。
【符号の説明】
引綱          Ｒ延縄セット    ＲＳガイド支柱    Ｇアンカー      Ａ回転ドラム    Ｄロータリー    ＲＲフロート      Ｆフック        Ｌ浄化媒体      ＰＭ浮体          ＦＦ河川の流れ    Ｃ
【図１】
2006021183.tif 000003
【図２】
2006021183.tif 000004
【図３】
2006021183.tif 000005